(57)【要約】【課題】  面材に傷をつけることなく、施工が容易に行える設備取付用下地材及び設備取付用下地材取付構造を提供することを目的とする。【解決手段】建物の外壁に設備を取り付けるための下地となる設備取付用下地材１であって、中心部に丸孔１ａを有するプレートからなり、少なくとも二つ以上の係止部１ｂとシーリングバックアップ材を貼設することができる貼設部１ｃが備えられ、前記係止部１ｂは、同一円周上にそれぞれ設けられており、前記貼設部１ｃは、前記丸孔１ａと前記係止部１ｂが設けられた円周上との間に備えられていることを特徴とする設備取付用下地材１により解決される。【選択図】    図１
2008303693.tif 000002
【特許請求の範囲】
【請求項１】
建物の外壁に設備を取り付けるための下地となる設備取付用下地材であって、
中心部に丸孔を有するプレートからなり、
少なくとも二つ以上の係止部とシーリングバックアップ材を貼設することができる貼設部が備えられ、
前記係止部は、同一円周上にそれぞれ設けられており、
前記貼設部は、前記丸孔と前記係止部が設けられた円周上との間に備えられていることを特徴とする設備取
付用下地材。
【請求項２】
前記設備取付用下地材に粘着テープを少なくとも一つ以上貼付する貼付部が前記係止部より外側に設けら  れていることを特徴とする請求項１記載の設備取付用下地材。
【請求項３】
建物の外壁に設備を取り付けるための下地の取り付け構造であって、
面材に設備取付用丸孔を備え、
該設備取付用下地材は、中心部に丸孔を有するプレートからなり、
少なくとも二つ以上の係止部が同一円周上にそれぞれ設けられており、
粘着テープを少なくとも一つ以上貼付する貼付部が設けられており、
前記丸孔と前記係止部が設けられた円周上との間にシーリングバックアップ材を貼設することができる貼設部が備えらえているものであって、
前記設備取付用丸孔に、前記設備取付用下地材を取付けた状態において、貼設部が、前記設備取付用丸孔から露出していることを特徴とする設備取付用下地材の取付構造。
【発明の詳細な説明】
【技術分野】
【０００１】
本発明は、建物の外壁に設備を取り付けるための下地材に関する。
【背景技術】
【０００２】
従来、住宅等の外壁に換気フードやオーバーフロー管などの設備を取り付けるためには、外壁面材に設備配管貫通孔を設け、住宅の内部の配管と外部の配管を前記設備配管貫通孔を介して取付けられていた。また、止水処理として、前記設備配管貫通孔にシーリングを充填していた。
【発明の開示】
【発明が解決しようとする課題】
【０００３】
しかし、シーリングの施工において、シーリングを外壁面材と配管とに２面接着させるため、シーリングバッカーを設備配管貫通孔の側面部に貼設する必要がある。シーリングバッカーを貼設するのは、現場での作業となること、人の施工技術に頼ることとなり、施工ムラがあり、品質管理が困難であるという問題がある。
【０００４】
本発明は上記の問題点に鑑み、シーリングの施工が容易に行え、外壁面材に傷をつけることなく施工ができる設備取付用下地材及び設備取付用下地材取付構造を提供することを目的とする。
【課題を解決するための手段】
【０００５】
上記の課題は、建物の外壁に設備を取り付けるための下地となる設備取付用下地材であって、中心部に丸孔を有するプレートからなり、少なくとも二つ以上の係止部とシーリングバックアップ材を貼設することができる貼設部が備えられ、前記係止部は、同一円周上にそれぞれ設けられており、前記貼設部は、前記丸孔と前記係止部が設けられた円周上との間に備えられていることを特徴とする設備取付用下地材により解決される。
【０００６】
この設備取付用下地材によれば、中心部に丸孔を有するプレートからなり、少なくとも二つ以上の係止部とシーリングバックアップ材を貼設することができる貼設部が備えられ、前記係止部は、同一円周上にそれぞれ設けられており、前記貼設部は、前記丸孔と前記係止部が設けられた円周上との間に備えられているので、前記係止部を面材に空けられた設備配管貫通用の丸孔の円周面に嵌め込むことにより取り付けられるので、螺子を用いる必要がなく、外壁面材を傷つけることはない。
【０００７】
上記発明において、前記設備取付用下地材に粘着テープを少なくとも一つ以上貼付する貼付部が前記係止部より外側に設けられているとよい。この場合、貼付部に粘着テープを貼付するようになされているので、テープの粘着により、外壁面材に設備取付用下地材を容易に強固に取付けることができる。
【０００８】
また、上記の課題は、建物の外壁に設備を取り付けるための下地の取り付け構造であって、面材に設備取付用丸孔を備え、該設備取付用下地材は、中心部に丸孔を有するプレートからなり、少なくとも二つ以上の係止部が同一円周上にそれぞれ設けられており、粘着テープを少なくとも一つ以上貼付する貼付部が設けられており、前記丸孔と前記係止部が設けられた円周上との間にシーリングバックアップ材を貼設することができる貼設部が備えらえているものであって、前記設備取付用丸孔に、前記設備取付用下地材を取付けた状態において、貼設部が、前記設備取付用丸孔から露出していることを特徴とする設備取付用下地材の取付構造によっても解決される。
【０００９】
この設備取付構造によれば、外壁面材に設備取付用丸孔を備え、前記外壁面材の裏面側に取付けられる設備取付用下地材が備えられ、該設備取付用下地材は、中心部に丸孔を有するプレートからなり、少なくとも二つ以上の係止部が同一円周上に設けられており、粘着テープを少なくとも一つ以上貼付する貼付部が設けられているので、外壁面材に容易に前記プレートを取り付けることがでる。
【００１０】
また、前記丸孔と前記係止部が設けられた円周上との間にシーリングバックアップ材を貼設することができる貼設部が備えられているものであって、前記設備取付用丸孔に、前記設備取付用下地材を取付けた状態において、貼設部が、前記設備取付用丸孔から露出しているようになされているので、予め工場等でシーリングバックアップ材を貼設することができ、現場では、シーリングを充填するだけでよいので、施工が容易になる。
【発明の効果】
【００１１】
本発明は以上のとおりであるから、面材に傷をつけることなく、施工も容易に行うことができる。
【発明を実施するための最良の形態】
【００１２】
次に、本発明の実施最良形態を図面に基づいて説明する。
【００１３】
図１に示す本実施形態の設備取付用下地材は、１が略正方形からなる下地材、１ａが下地材１の中心部にある丸孔、１ｂが丸孔１ａの外側に同一円周上に設けられた係止部、１ｃが丸孔１ａと係止部１ｂの円周上の間にシーリングバッカー２を貼設するための貼設部、１ｄが粘着テープを貼付するための貼付部であり、係止部１ｂは下地材を切り起こして形成され、同一円周上に４つ設けられており、貼付部１ｂは対角に２箇所設けられている。
【００１４】
次に、図２〜図３に示す本実施形態の取付構造について説明する。
なお、貼設部１ｃには、工場にてあらかじめシーリングバッカー材２が貼設されており、また、貼付部１ｄにも両面テープ３があらかじめ貼付されている。
【００１５】
まず、図２（イ）〜（ロ）に示すように、外壁面材４に設けられた設備配管貫通用の孔５に係止部１ｂを嵌め込むと共にあらかじめ貼付されている両面テープ３を外壁面材４に接着させる。この取付状態において、シーリングバッカー材が貼設されている貼設部は、設備配管貫通用の孔５から露出している。
【００１６】
次に、図３に示すように、シーリングバッカー材２の上にシーリング６を充填し、オーバーフロー管７を取付ける。
【００１７】
このように、上記設備取付用下地材１を用いれば、螺子を使用せずに、面材との取り付けができるので、面材に傷をつけることがなく、また、予め工場にて、シーリングバッカー材２を貼設して、現場に搬入できるので、現場作業が容易になり、施工性が向上する。
【００１８】
以上に、本発明の実施形態を示したが、本発明はこれに限られるものではなく、発明思想を逸脱しない範囲で各種の変更が可能である。例えば、係止部が下地材を切り起こしたものであると示したが、設備配管貫通用の孔に嵌め込むことにより、係止できるものであれば何でもよい。
【００１９】
また、上記実施形態では、両面テープを用いたが、粘着性のあるものであれば、何でもよい。
【図面の簡単な説明】
【００２０】
【図１】本実施形態を示すものであり、設備取付用下地材の正面図である。
【図２】（イ）は本実施形態を示すものであり、設備取付用下地材を取付けた状態を示す、断面側面図であり、（ロ）は、設備取付用下地材を取付けた状態の正面図である。
【図３】本実施形態を示すものであり、設備を取付けた状態を示す、断面側面図である。
【符号の説明】
【００２１】
１・・・設備取付用下地材
１ａ・・・丸孔
１ｂ・・・係止部
１ｃ・・・貼設部
１ｄ・・・貼付部
２・・・シーリングバッカー材
４・・・面材
６・・・シーリング
７・・・オーバーフロー管
【図１】
2008303693.tif 000003
【図２】
2008303693.tif 000004
【図３】
2008303693.tif 000005